(57)【要約】【課題】少ない流量でプライミングを容易且つ短時間に完了する。【解決手段】貯血槽１は、静脈血流入ポート５０と、静脈血流入ポート５０から流入した血液を一時的に貯留することができる貯血部１２とを備える。静脈血流入ポート５０は、血液が流れる流路が屈曲した屈曲部５３を備える。屈曲部５３での流路の屈曲角度θは９０度以下である。【選択図】図３
2017225534.tif 000002
【特許請求の範囲】
【請求項１】
静脈血流入ポートと、前記静脈血流入ポートから流入した血液を一時的に貯留することができる貯血部とを備えた貯血槽であって、
前記静脈血流入ポートは、血液が流れる流路が屈曲した屈曲部を備え、
前記屈曲部での流路の屈曲角度が９０度以下であることを特徴とする貯血槽。
【請求項２】
前記屈曲角度が６０度以上である請求項１に記載の貯血層。
【請求項３】
前記静脈血流入ポートは、前記屈曲部に対して上流側の第１部と、前記屈曲部に対して下流側の第２部とを備え、
前記第２部は上下方向に沿って延び、
前記第１部は、脱血ラインのチューブが接続されるように構成されている請求項１又は２に記載の貯血層。
【請求項４】
前記流路を規定する内面の、前記屈曲部またはその近傍の内側に、前記屈曲部に対して下流側の流路内に向かって突出した突起が設けられている請求項１〜３のいずれか一項に記載の貯血層。
【発明の詳細な説明】
【技術分野】
【０００１】
本発明は、心臓手術等を行う際に使用される体外血液循環回路において、体外循環中の血液を一時的に貯留する貯血槽に関する。特に、静脈血が流入する静脈血流入ポートを備えた貯血槽に関する。
【背景技術】
【０００２】
心臓手術等を行う場合、患者の心臓や肺の機能を代替するための血液ポンプや人工肺を備えた体外血液循環回路が用いられる。体外血液循環回路には、患者の静脈から脱血された静脈血を一時的に貯留して循環回路血液量を調整するための貯血槽（「静脈血貯血槽」と呼ばれることがある）や、術野に溢れた血液（「心内血」と呼ばれることがある）を吸引し回収して一時的に貯留するための貯血槽（「心内血貯血槽」と呼ばれることがある）が設けられる。心内血は、静脈血に比べて、肉片、脂肪、凝血塊などの異物や気泡を多く含むので、心内血貯血槽には、異物を除去するためのフィルタと気泡を消泡（破泡）するための消泡材とからなるカーディオトミー部が設けられる。静脈血と心内血とを共通する貯血槽（「心内血貯血槽一体型静脈血貯血槽」と呼ばれることがある。特許文献１参照）に貯留することも広く行われている。
【０００３】
体外血液循環回路に血液を循環させるのに先だって、当該回路を構成する血液流路内に液体（例えば生理食塩水、以下「プライミング液」という）を導入し、流路内に存在していた空気を外界に排出する、「プライミング」と呼ばれる作業が行われる。体外血液循環回路中に空気が存在した状態で血液の循環を開始すると、空気が患者の血管内に流入して、重篤な健康被害が発生しうるからである。
【０００４】
貯血槽に対するプライミングでは、貯血槽の上面に設けられた、静脈血を貯血槽に流入させるための静脈血流入ポート（「脱血ポート」と呼ばれることがある）内の流路をプライミング液で満たす必要がある。
【先行技術文献】
【特許文献】
【０００５】
【特許文献１】特開２０１４−１８３９４７号公報
【発明の概要】
【発明が解決しようとする課題】
【０００６】
従来の貯血槽に設けられた静脈血流入ポートは、脱血ラインのチューブが接続される第１部と、貯血槽の上面から上方に向かって延びた第２部とを備える。第１部と第２部とは、流路が１０５度〜１２０度で屈曲するように、屈曲部にて接続されている。プライミング液を脱血ラインのチューブから静脈血流入ポートの流路に流すと、プライミング液の流れ方向が変化する屈曲部またはその近傍の空気をプライミング液で排出することが困難であるという課題がある。
【０００７】
従来は、静脈血流入ポート内の空気を排出するために、（１）プライミング液の流量を増大させる、または、（２）静脈血流入ポートに接続したチューブを指で間欠的に押し潰すことによりプライミング液を静脈血流入ポートに断続的に流入させる、等の作業が必要である。
【０００８】
本発明は、少ない流量でプライミングを容易且つ短時間に完了することができる静脈血流入ポートを備えた貯血槽を提供することを目的とする。
【課題を解決するための手段】
【０００９】
本発明の貯血層は、静脈血流入ポートと、前記静脈血流入ポートから流入した血液を一時的に貯留することができる貯血部とを備える。前記静脈血流入ポートは、血液が流れる流路が屈曲した屈曲部を備える。前記屈曲部での流路の屈曲角度が９０度以下である。
【発明の効果】
【００１０】
本発明によれば、屈曲部での流路の屈曲角度が９０度以下であるので、プライミング時に、静脈血流入ポートを流れるプライミング液の流れ方向が屈曲部にて急激に変化する。このため、屈曲部及びその近傍においてプライミング液中に渦や乱流が発生するので、プライミング液の滞留は生じにくく、気泡はプライミング液とともに流される。その結果、少ないプライミング液の流量で静脈血流入ポート内の流路を容易且つ短時間にプライミング液で満たすことができる。
【図面の簡単な説明】
【００１１】
【図１】図１は、本発明の実施形態１に係る貯血槽の上方から見た斜視図である。
【図２】図２は、本発明の実施形態１に係る貯血槽の断面図である。
【図３】図３は、本発明の実施形態１に係る貯血槽において、静脈血流入ポート及びその近傍の拡大断面図である。
【図４】図４は、従来の貯血槽において、静脈血流入ポート及びその近傍の拡大断面図である。
【図５】図５は、本発明の実施形態１に係る別の貯血槽において、静脈血流入ポート及びその近傍の拡大断面図である。
【図６Ａ】図６Ａは、本発明の実施形態２に係る貯血槽において、静脈血流入ポート及びその近傍の拡大断面図である。
【図６Ｂ】図６Ｂは、第１部の中心軸に平行な水平面で切断された、本発明の実施形態２に係る貯血槽の静脈血流入ポート及びその近傍の拡大斜視図である。
【発明を実施するための形態】
【００１２】
上記の本発明の貯血層の一構成では、前記屈曲角度が６０度以上である。かかる構成によれば、静脈血流入ポートに接続される脱血ラインのチューブの取り回し性の低下や、溶血及び流路抵抗の増大を抑えることができる。
【００１３】
前記静脈血流入ポートは、前記屈曲部に対して上流側の第１部と、前記屈曲部に対して下流側の第２部とを備えていてもよい。この場合、前記第２部は上下方向に沿って延び、前記第１部は、脱血ラインのチューブが接続されるように構成されていてもよい。かかる構成によれば、第１部の傾きが、第１部に接続されるチューブの第１部近傍での傾きに近づく。これは、第１部の近傍でチューブが局所的に折れ曲がることによるキンクの発生を抑えることができるので、キンクによる体外血液循環回路の流路抵抗の増大を防止するのに有利である。
【００１４】
前記流路を規定する内面の、前記屈曲部またはその近傍の内側に、前記屈曲部に対して下流側の流路（即ち、前記第２部の流路）内に向かって突出した突起が設けられていてもよい。これにより、気泡は突起に衝突して微細化される。従って、上記の構成は、少ないプライミング液の流量で静脈血流入ポート内の流路を容易且つ短時間にプライミング液で満たすのに更に有利である。
【００１５】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。各実施形態で引用する図面において、先行する実施形態で引用した図面に示された部材に対応する部材には、当該先行する実施形態の図面と同じ符号が付してある。そのような部材については、重複する説明が省略されており、先行する実施形態の説明を適宜参酌すべきである。
【００１６】
（実施形態１）
図１は本発明の実施形態１に係る貯血槽１の概略構成を示した斜視図、図２はその側面断面図である。この貯血槽１は、静脈血と心内血とを貯留させる心内血貯血槽一体型静脈血貯血槽である。貯血槽１は図２に示す向きで使用される。以下の説明において使用する「上」、「下」、「水平方向」は、図２に示した貯血槽１の実際の使用状態に基づいて定義する。
【００１７】
図１に示されているように、貯血槽１は、ハウジング本体１１とハウジング本体１１の上部に載置された蓋体１６とからなるハウジング１０を備える。
【００１８】
ハウジング本体１１は、その中心から外れた一部が下方に向かって楔状に突出した貯血部１２と、貯血部１２の下端に設けられた、血液が流出する血液流出ポート１３とを備える。
【００１９】
蓋体１６には、貯血槽１内に血液を流入させるための複数の血液流入ポートが設けられている。血液流入ポートは、心内血が流入する複数の心内血流入ポート２１と、静脈血が流入する静脈血流入ポート（「脱血ポート」と呼ばれることがある）５０とを含む。更に、蓋体１６には、薬液等を血液に混入するための複数の薬液注入ポート２３，２４、緊急に大量の薬液を血液に混入させたり、カーディオトミー部３０（図２参照）の心内血フィルタ３７が目詰まりにより使用できなくなった場合に代替のカーディオトミー部を通過させた血液を流入させたりするためのサービスポート２５、貯血槽１内の圧力を調整するための吸引補助脱血ポート２６、貯血槽１内の圧力が異常な陽圧又は陰圧になるのを防止するための圧力調整弁２７等が設けられている。静脈血流入ポート５０には、静脈血の温度を測定するための温度プルーブ２８が挿入されている。
【００２０】
図２に示されているように、カーディオトミー部３０が、蓋体１６の下面の略中央に設けられている。心内血流入ポート２１を通過した心内血は、カーディオトミー部３０内に流入する。
【００２１】
カーディオトミー部３０は、有底の略円筒形状を有する筐体３１を備える。筐体３１の円形の底板の外周縁には、血液を流出させるための孔３２が設けられている。筐体３１内には、消泡材３５、フレーム３６、心内血フィルタ３７が設けられている。
【００２２】
消泡材３５は、消泡材３５に接触した気泡を破泡させる消泡機能を有しており、限定されないが、例えば、基層としてのポリウレタンの表面に消泡剤としてのシリコーンがコーティングされた材料で構成しうる。基層の形態は、連続気泡を有する発泡体、織物、編み物、不織布などであってもよい。好ましくは、消泡材３５として、軟質のポリウレタンフォームにシリコーンをコーティングした材料を用いることができる。本実施形態では、消泡材３５は、円筒形状を有している。
【００２３】
心内血フィルタ３７は、血液（心内血）が心内血フィルタ３７を通過する際に血液中の異物及び気泡を捕捉する機能を有しており、限定されないが、例えば、ポリエステル、ナイロン、ポリプロピレンなどの樹脂材料からなるメッシュフィルタなどの公知のフィルタ材で構成しうる。心内血フィルタ３７に消泡剤（例えばシリコーン）をコーティングして気泡の消泡機能を付与しても良い。本実施形態では、心内血フィルタ３７は、長尺のシート状フィルタ材を、一定ピッチで互いに逆方向にプリーツ状に折り曲げ、次いで、全体形状が略円筒形状を有するように、フィルタ材の長手方向の両端を接続して構成されている。心内血フィルタ３７は消泡材３５の外側に配されている。
【００２４】
フレーム３６は、消泡材３５と心内血フィルタ３７とが離間するように、その間に配置されている。フレーム３６は、略円筒形状を有し、その壁には、複数の開口が設けられている。
【００２５】
ハウジング１０内には、消泡フレーム４０が収納されている。消泡フレーム４０は、ハウジング本体１１の内面に対して略一定の間隔を隔ててほぼ沿うような形状を有している。消泡フレーム４０は、ハウジング本体１１の貯血部１２内に挿入されるように下方に向かって延びた枠状部４１を備える。消泡フレーム４０（特に枠状部４１）の壁には複数の開口が設けられている。濾過網４５が、複数の開口を塞ぐように消泡フレーム４０に固定保持されている。図２において多数のドットを付した領域が、開口を塞ぐ濾過網４５を示す。濾過網４５は、血液が濾過網４５を通過する際に血液中の異物や気泡を除去するフィルターとしての機能を有している。例えば、濾過網４５として多数の微細な開口を有するスクリーンフィルタを用いることができる。濾過網４５に、消泡剤（例えばシリコーンなど）をコーティングして気泡の消泡機能を付与してもよい。カーディオトミー部３０は、消泡フレーム４０内に収納される。
【００２６】
静脈血流入ポート５０は、第１導管２９ａ及び第２導管２９ｂに順に連通される。第１導管２９ａは、カーディオトミー部３０の中央を上下方向に貫通するように配置されている。第２導管２９ｂは、消泡フレーム４０の枠状部４１内に挿入され、その下端の開口は、貯血槽１の最低血液面レベルＬよりも下側に位置している。
【００２７】
ハウジング本体１１の下面には、手術室に立設された支柱の上端を挿入することで貯血槽１を保持するための固定用穴１４が設けられている。
【００２８】
貯血槽１は、体外血液循環回路に組み込まれて使用される。心内血流入ポート２１には心内血吸引ラインのチューブが接続され、静脈血流入ポート５０には体外血液循環回路の脱血ラインのチューブが接続される。血液流出ポート１３には体外血液循環回路の送血ラインのチューブが接続される。薬液注入ポート２３，２４には所定の薬液容器に接続された薬液注入ラインのチューブが接続される。薬液注入ポート２３から流入した薬液はカーディオトミー部３０を通過せずに貯血部１２に流入し、薬液注入ポート２４から流入した薬液はカーディオトミー部３０を通過した後、貯血部１２に流入する。サービスポート２５には各種ラインのチューブが接続される。温度プルーブ２８には温度計測機器と接続された電気配線が接続される。
【００２９】
貯血槽１内の血液の流れを説明する。
【００３０】
図２において、患者の術野から吸引された心内血は、心内血流入ポート２１を通過してカーディオトミー部３０内に流入する。心内血に混入した気泡は、血液面上に浮上するが、消泡材３５に接触すると破泡する。心内血は、消泡材３５、フレーム３６、心内血フィルタ３７を順に通過し、更に筐体３１の底板に設けられた孔３２を通過して消泡フレーム４０内に流入する。心内血に含まれる肉片、脂肪、凝血塊などの異物や気泡は、心内血フィルタ３７で捕捉される。
【００３１】
一方、患者の静脈から脱血された静脈血は、静脈血流入ポート５０、第１導管２９ａ、第２導管２９ｂを順に通過して、第２導管２９ｂの下端の開口から消泡フレーム４０内に流入する。
【００３２】
心内血及び静脈血は、消泡フレーム４０内で混合され、濾過網４５を通過して、血液流出ポート１３を通って貯血槽１外に流出する。
【００３３】
この過程で、血液は、その血液面が最低血液面レベルＬより上になるように、貯血部１２内に一時的に貯留される。
【００３４】
貯血槽１を用いた血液循環を行うに先だって、体外血液循環回路に対してプライミングが行われる。貯血槽１に対するプライミングでは、最初に、プライミング液を薬液注入ポート２３を介して貯血槽１内に注入して、貯血部１２、血液流出ポート１３、送血ラインのチューブをプライミング液で満たし、次いで、血液ポンプでプライミング液を、脱血ラインのチューブ、静脈血流入ポート５０、第１導管２９ａ、第２導管２９ｂに順に流し、これらをプライミング液で満たす必要がある。
【００３５】
図３は、静脈血流入ポート５０及びその近傍の拡大断面図である。静脈血流入ポート５０は、脱血ラインのチューブ（図示せず）が接続される第１部５１と、蓋体１６から上方に向かって延びた第２部５２とを備える。第１部５１及び第２部５２は、それぞれその内部に血液が流れる流路を備える。第１部５１の流路と第２部５２の流路とが連通されて、静脈血流入ポート５０の流路が構成される。一点鎖線５１ａ及び一点鎖線５２ａは、それぞれ第１部５１及び第２部５２の流路の中心軸である。第１部５１及び第２部５２の各流路は、いずれも真っ直ぐに延びている。第１部５１の流路断面及び第２部５２の流路断面は、略同一直径の円形形状（限定されないが、その直径は１０〜１３ｍｍ）を有する。本実施形態では、第１部５１は水平方向にほぼ沿って延びているのに対して、第２部５２は上下方向にほぼ沿って延びている。従って、静脈血流入ポート５０内の流路は、第１部５１と第２部５２との間の屈曲部５３にて屈曲している。本発明において「屈曲部５３」とは、第１部５１と第２部５２との境界及びその近傍部分を指す。屈曲部５３での流路の屈曲角度（中心軸５１ａと中心軸５２ａとがなす角度）θは９０度である。
【００３６】
本実施形態では、静脈血流入ポート５０の屈曲部５３での屈曲角度θを小さくしたことにより、プライミングにおいて、静脈血流入ポート５０内の空気をプライミング液で容易且つ短時間に排出することができる。本発明者らは、この理由を概ね以下のように考えている。
【００３７】
図４は、従来の貯血槽の静脈血流入ポート９５０及びその近傍を図３と同様に示した拡大断面図である。図４において、図３に示した部材と対応する部材には、同一の符号が付してある。従来の静脈血流入ポート９５０では、第１部５１が、その先端が斜め上方を向くように水平方向に対して傾斜しており、屈曲部５３での屈曲角度θは１０５度〜１２０度程度である。第１部５１に脱血ラインのチューブ（図示せず）が接続される。プライミング前は、当該チューブ及びポート９５０内の流路は空気で満たされている。プライミングでは、プライミング液を当該チューブを通ってポート９５０に流入させる。プライミング液は、第１部５１内を、その中心軸５１ａに沿って流れる。次いで、プライミング液は、ポート９５０の流路を規定する内面（以下、「流路内面」という）のうち屈曲部外側領域５４に衝突し、その流れ方向が変化される。ここで、屈曲部外側領域５４は、流路内面のうち、第１部５１の中心軸５１ａの延長線が交叉する位置を含むその近傍領域であり、屈曲部５３内、または、屈曲部５３近傍の第２部５２に位置する。屈曲部外側領域５４の近傍では、プライミング液の圧力が相対的に高い。一方、流路内面のうち屈曲部内側領域５５の近傍では、プライミング液の圧力は相対的に低くなりやすい。ここで、屈曲部内側領域５５は、屈曲部外側領域５４に略対向する領域であって、屈曲部５３内、または、屈曲部５３近傍の第２部５２に位置する。なお、上記において、「外側」及び「内側」は、屈曲部５３でプライミング液の流れ方向が円弧に沿って変化すると単純化したとき、当該円弧の中心から見て遠い側及び近い側をそれぞれ意味する。
【００３８】
従来の静脈血流入ポート９５０では、その屈曲部５３の屈曲角度θが鈍角であるので、屈曲部５３でのプライミング液の流れ方向の変化は比較的緩やかである。このため、屈曲部内側領域５５の近傍では、プライミング液の流速が遅かったり、プライミング液中に定常的な渦が生じたりするために、プライミング液が滞留しやすい。従って、プライミング開始前に屈曲部内側領域５５近傍に存在していた空気は、プライミング開始後もプライミング液とともに、いわゆる「気泡溜まり」となって屈曲部内側領域５５近傍にとどまり続ける。このため、上述したように、従来の貯血槽では、屈曲部５３またはその近傍の空気をプライミング液でポート９５０外に排出することが困難であった。
【００３９】
これに対して、本実施形態１では、図３に示すように、屈曲部５３の屈曲角度θが９０度である。本実施形態では、プライミング時に、プライミング液の流れ方向が屈曲部５３にて急激に変化する。このため、屈曲部５３でプライミング液の流れが大きくかき乱され、プライミング液中に不定常な渦や乱流が発生し易い。プライミング液の流れの乱れは、屈曲部外側領域５４の近傍のみならず、屈曲部内側領域５５の近傍でも起こる。このため、屈曲部内側領域５５の近傍においてプライミング液の滞留は生じにくく、プライミング開始前に屈曲部内側領域５５の近傍に存在していた空気もプライミング液とともにポート５０外に排出されやすくなるのである。このため、本実施形態１では、プライミング液の流量が少なくてもポート５０内の流路を容易且つ短時間にプライミング液で満たすことができる。
【００４０】
静脈血流入ポート５０の材料は、制限はないが、硬質の材料、例えば、ポリカーボネート、ポリエチレン、ポリエステル、ポリメチルペンテン、メタクリル、ＡＢＳ樹脂（アクリロニトリル・ブタジエン・スチレン共重合体）、ＰＥＴ樹脂（ポリエチレンテレフタレート）、ＰＶＣ（ポリ塩化ビニル）等の樹脂材料を用いることができ、中でもポリカーボネートを用いることが好ましい。ポート５０は、このような樹脂材料を用いて射出成形法等により製造することができる。本実施形態ではポート５０は全体が一部品として一体的に成形されているが、本発明はこれに限定されず、別々に成形された複数の部品を組み合わせてポート５０が構成されてもよい。
【００４１】
図５は、本実施形態１に係る別の貯血槽の静脈血流入ポート５０’及びその近傍の拡大断面図である。本例では、屈曲部５３での流路の屈曲角度θは７５度である。図３に示したポート５０に比べて、図５のポート５０’では、屈曲部５３でのプライミング液の流れ方向の変化はより大きい。従って、この場合も、屈曲部内側領域５５の近傍の空気はプライミング液とともにポート５０’外に排出されやすく、プライミング液の流量が少なくてもポート５０’内の流路を容易且つ短時間にプライミング液で満たすことができる。
【００４２】
本発明者らは、屈曲部５３での屈曲角度θが９０度（図３参照）及び７５度（図５参照）の場合は、１０５度〜１２０度程度（図４参照）である場合に比べて、静脈血流入ポートに対するプライミング性が向上することを実験により確認している。
【００４３】
本実施形態１のように、屈曲部５３での屈曲角度θを小さくすることは、第１部５１に接続された脱血ラインのチューブが折れ曲がることによって流路抵抗が増大するという問題が起こりにくくなるという付随的効果を奏する。これは以下の理由による。脱血ラインのチューブは、例えば血液ポンプと第１部５１とをつなぐ。チューブは柔軟性を有するので、重力により血液ポンプと第１部５１との間で垂れ下がる。図４のポート９５０のように第１部５１が、その先端が斜め上方を向くように傾斜していると、第１部５１に接続されたチューブが第１部５１の先端近傍において局所的に折れ曲がり、チューブ内の流路が塞がれてしまう、「キンク」という現象が生じやすい。これに対して、屈曲角度θが小さくなると、第１部５１の先端は水平方向（図３参照）または斜め下方（図５参照）を向くので、第１部５１の傾きが、垂れ下がったチューブの第１部５１近傍での傾きに近づく。このため、第１部５１の近傍でチューブが局所的に折れ曲がる可能性が低くなり、キンクの発生を抑えることができる。この結果、キンクの発生による体外血液循環回路の流路抵抗の増大を防止することができる。
【００４４】
静脈血流入ポートの屈曲部５３での屈曲角度θは、一般に９０度以下であれば、少ないプライミング液流量で静脈血流入ポートのプライミングを容易且つ短時間に完了させることができる。但し、屈曲角度θが小さすぎると、以下の問題が生じる可能性がある。第１に、第１部５１に接続されたチューブが、貯血槽１の蓋体１６に衝突する等のチューブの取り回し性が低下することがある。この問題は、第２部５２を長くして、第１部５１と蓋体１６との上下方向間隔を拡大させることにより解消できる可能性があるが、これは静脈血流入ポート内の流路の血液充填量を増大させる。第２に、屈曲部５３近傍で血液流れが大きくかき乱されるために、赤血球が破壊される（溶血）可能性が高くなる。第３に、静脈血流入ポート内の流路方向が屈曲部５３で急激に変化するために、プライミング後に血液が静脈血流入ポートを流れる際の流路抵抗が増大する。これらの観点から、屈曲角度θの下限は、制限はないが、６０度以上、更には７５度以上であることが好ましい。本発明者らは、屈曲角度θが６０度以上であれば、溶血や流路抵抗が実用上問題となりうる程度にまで増大しないことを実験により確認している。
【００４５】
（実施形態２）
図６Ａは、本発明の実施形態２に係る貯血槽の静脈血流入ポート５０”及びその近傍の拡大断面図である。図６Ｂは、第１部５１の中心軸５１ａに平行な水平面で切断された、静脈血流入ポート５０”及びその近傍の拡大斜視図である。
【００４６】
図６Ｂに示されているように、本実施形態２では、静脈血流入ポート５０”の流路内面の、屈曲部の内側に突起５７が設けられている。突起５７は、第２部５２の流路内に突出している。突起５７は、第１部５１の内面を第２部５２内に延長した第１面５７ａと、第１面５７ａの先端と第２部５２の内面とを結ぶ第２面５７ｂとを備える。図６Ａに示されているように、中心軸５１ａ及び中心軸５２ａを含む面（以下、「垂直面」という）に垂直な方向（以下「横方向」という）から見た突起５７の形状は三角形である。第１面５７ａは、第１部５１の中心軸５１ａに平行であり、第２面５７ｂは、第２部５２の中心軸５２ａからの距離が、下側で拡大するように中心軸５２ａに対して傾斜している。横方向に沿った突起５７の幅は比較的薄く、突起５７は、全体として、垂直面に沿ったリブ状である。
【００４７】
実施形態１で説明したように、屈曲角度θを９０度以下に小さくした場合、プライミング時に屈曲部内側領域５５の近傍でプライミング液中に渦や乱流が発生しやすい。プライミング液中の気泡は、屈曲部内側領域５５の近傍で渦や乱流とともに激しく移動する。本実施形態２では、このような屈曲部内側領域５５に突起５７が設けられている。このため、気泡は突起５７に衝突し、より小さな気泡に破壊される。微細化された気泡は、プライミング液の流れに乗ってプライミング液とともにポート５０”から排出されやすい。このため、本実施形態２では、実施形態１に比べて、より少ないプライミング液の流量でポート５０”内の流路を更に容易且つ短時間にプライミング液で満たすことができる。
【００４８】
突起５７は、流路内面の、屈曲部５３またはその近傍の内側に、第２部５２の流路内に突出するように設けられる。これにより、気泡を効率よく微細化することができる。
【００４９】
屈曲部内側領域５５に、第２部５２の流路内に突出するように設けた突起５７が、プライミング後にポート５０”を流れる血液の流路抵抗を増大させることはほとんどない。従って、突起５７を設けたことによる、ポート５０”の入口近傍での圧力上昇はほとんどない。また、突起５７を設けたことによる、赤血球の破壊（溶血）もほとんどない。
【００５０】
好ましくは、突起５７は、第１部５１の流路内には突出しない。第１部５１内では、プライミング液中に渦や乱流がほとんど発生せず、そのために気泡溜まりも発生しない。従って、突起５７が第１部５１の流路内に突出していても、そのような突起５７が気泡を微細化する効果はほとんど期待できない。むしろ、突起５７が第１部５１内に突出している場合には、ポート５０”を流れる血液の流路抵抗の増大や、赤血球の破壊（溶血）などが生じる可能性が高くなる。
【００５１】
突起５７が、垂直面に沿った薄いリブ状であることは、ポート５０”を流れる血液の流路抵抗の増大や、赤血球の破壊の可能性を更に低減するのに有利である。
【００５２】
図６Ａ及び図６Ｂは例示に過ぎす、本発明はこれに限定されない。例えば、突起５７の形状は適宜変更しうる。第１面５７ａは、中心軸５１ａと平行に延びている必要はなく、例えば第１部５１から離れるにしたがって中心軸５１ａから離間するように傾斜していてもよい。横方向から見た突起５７の形状は、第１面５７ａと第２面５７ｂとを備えた三角形である必要はなく、例えば台形や円弧状などであってもよい。突起の位置は、図６Ａ及び図６Ｂように第１部５１と第２部５２との境界に隣接している必要はなく、当該境界から下流側にわずかに離れていてもよい。２以上の突起が、横方向または中心軸５２ａ方向の異なる位置に配置されていてもよい。
【００５３】
本実施形態２は、上記を除いて実施形態１と同じである。図６Ａ及び図６Ｂでは、屈曲角度θが９０度である静脈血流入ポート５０”に突起５７を設けたが、本実施形態２で説明した突起５７を本発明の任意の静脈血流入ポートに設けることができる。
【００５４】
上記の実施形態１，２は例示に過ぎない。本発明は、実施形態１，２に限定されず、適宜変更することができる。
【００５５】
例えば、カーディオトミー部３０は、上記以外の任意の構成を備えうる。例えば、消泡材３５及びフィルタ３６は、円筒形状である必要はなく、上方にのみ開口した略袋形状を有していてもよい。消泡材３５と心内血フィルタ３７との間のフレーム３６を省略してもよい。筐体３１の形状や孔３２の位置等は、任意に変更しうる。
【００５６】
本発明の貯血層は、上記の実施形態１，２に示したような心内血貯血槽一体型静脈血貯血槽である必要はなく、心内血が流入せず、静脈血が流入する静脈血貯血槽であってもよい。この場合、心内血流入ポート２１やカーディオトミー部３０等の心内血に関連する部材は省略される。
【産業上の利用可能性】
【００５７】
本発明は、心肺手術等を行う際に使用される体外血液循環回路中に設けられる貯血槽として広く利用することができる。特に、静脈血が流入する静脈血流入ポートを備えた貯血槽として利用することができる。
【符号の説明】
【００５８】
１  貯血槽
１２  貯血部
５０，５０’，５０”  静脈血流入ポート
５１  第１部
５２  第２部
５３  屈曲部
５７  突起
θ  屈曲角度
【図１】
2017225534.tif 000003
【図２】
2017225534.tif 000004
【図３】
2017225534.tif 000005
【図４】
2017225534.tif 000006
【図５】
2017225534.tif 000007
【図６Ａ】
2017225534.tif 000008
【図６Ｂ】
2017225534.tif 000009